(57)【要約】【課題】簡素な構成で、少ない操作手順で、しかも操作が容易な飲料抽出機を提供する。【解決手段】容器２内の飲料水を加熱する加熱装置３と、回転自在で、飲料パック８を収納するパック収納部１０を開閉するパックドアー１２と、飲料パック８を開封すると共に容器２の熱湯を吐出するインジェクタ１３を保持して往復動作するインジェクターユニット２８と、インジェクターユニット２８に接触して往復動作させるカム２９と、パックドアー１２の閉操作に連動してカム２９を回動させてインジェクターユニット２８を飲料パック８を開封する方向に移動させる開封連動装置２０を備え、飲料パック８開封時のインジェクタ１３の動作量が、パックドアー１２の回転角度に比例したインジェクタ１３の動作量より少なくなるようにカム２９の形状を補正したもので、パックドアー１２の閉操作のみで飲料パック８を開封でき、又開封時のパックドアー１２の閉操作力を低減できる。【選択図】図１
2009273683.tif 000002
【特許請求の範囲】
【請求項１】
飲料水を収容する容器と、前記容器に収納された飲料水を加熱保温する加熱装置と、粉末飲料などを内部に密閉保存した飲料パックを収納固定するパック収納部と、回転自在に設けられ、外部操作で前記パック収納部の前面開放部を開閉するパックドアーと、前記飲料パックを開封すると共に熱湯を前記飲料パック内に吐出するインジェクタと、前記インジェクタを保持した状態で往復動作すると共に飲料パックより遠ざかる方向に付勢されたインジェクターユニットと、前記インジェクターユニットに接触し前記インジェクターユニットを往復動作させるカムと、前記パックドアーの閉操作に連動して前記カムを回動させて前記インジェクターユニットを、前記飲料パックを開封する方向に移動させる開封連動装置と、前記容器内の熱湯を前記インジェクタに送る抽出装置とを備え、前記飲料パックの開封動作時の前記インジェクタの動作量が、前記パックドアーの回転角度に比例した前記インジェクタの動作量より少なくなるように前記カムの形状を補正したことを特徴とする飲料抽出機。
【請求項２】
飲料水を収容する容器と、前記容器に収納された飲料水を加熱保温する加熱装置と、粉末飲料などを内部に密閉保存した飲料パックを収納固定するパック収納部と、回転自在に設けられ、外部操作で前記パック収納部の前面開放部を開閉するパックドアーと、前記飲料パックを開封すると共に熱湯を前記飲料パック内に吐出するインジェクタと、前記インジェクタを保持した状態で往復動作すると共に飲料パックより遠ざかる方向に付勢されたインジェクターユニットと、前記インジェクターユニットに接触し前記インジェクターユニットを往復動作させるカムと、前記パックドアーの閉操作に連動して前記カムを回動させて前記インジェクターユニットを、前記飲料パックを開封する方向に移動させる開封連動装置と、前記容器内の熱湯を前記インジェクタに送る抽出装置とを備え、前記パックドアーの閉動作範囲の略後半に、前記飲料パックの開封動作をさせることを特徴とする飲料抽出機。
【請求項３】
少なくとも飲料パックの開封動作時に、インジェクタの動作量が、パックドアーの回転角度に比例した前記インジェクタの動作量より少なくなるようにカムの形状を補正したことを特徴とする請求項２に記載の飲料抽出機。
【請求項４】
パックドアーの閉動作範囲の略前半におけるインジェクターの動作量が、前記パックドアーの回転角度に比例した前記インジェクターの動作量より多くなるようにカムの形状を補正したことを特徴とする請求項２又は３に記載の飲料抽出機。
【発明の詳細な説明】
【技術分野】
【０００１】
本発明は、コーヒー、紅茶、ココアなどの飲料を一杯づつ密封した飲料パックによりいつでも新鮮でおいしい飲料が手軽に飲める飲料抽出機に関するものである。
【背景技術】
【０００２】
従来、この種の飲料抽出機は、開閉可能な飲料固定部を、操作レバーの押し下げ操作により開き、粉末飲料などを内部に密閉保存した飲料パックを、開いた飲料固定部にセットし、飲料固定部を閉じ、操作レバーを押し下げ、キャッチにより操作レバーを保持することにより飲料パックを開封し、抽出を行う構成となっている（例えば、特許文献１参照）。
【特許文献１】特開２００１−０７０１６５号公報
【発明の開示】
【発明が解決しようとする課題】
【０００３】
しかしながら、上記従来の飲料抽出機の構成では、飲料パックのセット後、飲料固定部を閉じる操作と、パック開封操作を操作レバーの押し下げ操作で行うため、少なくとも２段階の操作が必要となり、操作手順が多くなってしまい、また、キャッチにより操作レバーを保持するため、部品点数が多く、構造が複雑になるという課題を有していた。
【０００４】
本発明は、上記従来の課題を解決するもので、簡単な構造で、操作手順を簡素化し、加えて操作力の低減を図ることができる飲料抽出機を提供することを目的とする。
【課題を解決するための手段】
【０００５】
従来の課題を解決するために、本発明の飲料抽出機は、飲料水を収容する容器と、前記容器に収納された飲料水を加熱保温する加熱装置と、粉末飲料などを内部に密閉保存した飲料パックを収納固定するパック収納部と、回転自在に設けられ、外部操作で前記パック収納部の前面開放部を開閉するパックドアーと、前記飲料パックを開封すると共に熱湯を前記飲料パック内に吐出するインジェクタと、前記インジェクタを保持した状態で往復動作すると共に飲料パックより遠ざかる方向に付勢されたインジェクターユニットと、前記インジェクターユニットに接触し前記インジェクターユニットを往復動作させるカムと、前記パックドアーの閉操作に連動して前記カムを回動させて前記インジェクターユニットを、前記飲料パックを開封する方向に移動させる開封連動装置と、前記容器内の熱湯を前記インジェクタに送る抽出装置とを備え、前記飲料パックの開封動作時の前記インジェクタの動作量が、前記パックドアーの回転角度に比例した前記インジェクタの動作量より少なくなるように前記カムの形状を補正したもので、パックドアーの閉操作のみに連動した開封連動装置を介してインジェクタにより飲料パックを開封することができ、またカムの使用により操作レバー保持用のキャッチなどの構造部材が不要で、構造が簡素化でき、さらにカムの形状の補正により、パック開封時のパックドアーの閉操作力を低減することができる飲料抽出機を提供することができる。
【０００６】
また、本発明の飲料抽出機は、飲料水を収容する容器と、前記容器に収納された飲料水を加熱保温する加熱装置と、粉末飲料などを内部に密閉保存した飲料パックを収納固定するパック収納部と、回転自在に設けられ、外部操作で前記パック収納部の前面開放部を開閉するパックドアーと、前記飲料パックを開封すると共に熱湯を前記飲料パック内に吐出するインジェクタと、前記インジェクタを保持した状態で往復動作すると共に飲料パックより遠ざかる方向に付勢されたインジェクターユニットと、前記インジェクターユニットに接触し前記インジェクターユニットを往復動作させるカムと、前記パックドアーの閉操
作に連動して前記カムを回動させて前記インジェクターユニットを、前記飲料パックを開封する方向に移動させる開封連動装置と、前記容器内の熱湯を前記インジェクタに送る抽出装置とを備え、前記パックドアーの閉動作範囲の略後半に、前記飲料パックの開封動作をさせるもので、パックドアーの閉操作のみに連動した開封連動装置を介してインジェクターにより飲料パックを開封することができ、またカムの使用により、操作レバー保持用のキャッチなどの構造部材が不要で、構造が簡素化でき、加えて、パックドアーの閉動作範囲の略後半で飲料パックを開封する、飲料パックの開封時の抵抗力に打ち勝つドアー閉操作力を、力の加えにくいパックドアーの閉動作範囲の前半のパックドアーを持ち上げる操作時に加えるのではなく、パックドアーを後方に押す操作の時に力を素直に加えて開封ができるので、操作が自然で開封操作がしやすい飲料抽出機を提供することができる。
【発明の効果】
【０００７】
本発明の飲料抽出機は、パックドアーの閉操作のみで飲料パックを開封することができるので操作手順を簡素化し、またカムによる開封操作のため操作レバー保持用のキャッチなどの構成部品が不要で、簡単な構成で実現し、しかも付勢されたインジェクターユニットと、形状補正したカムにより飲料パック開封時のパックドアーの閉操作力の低減を図ることができるためパックドアーの操作性を向上させた飲料抽出機を提供することができる。
【発明を実施するための最良の形態】
【０００８】
第１の発明は、飲料水を収容する容器と、前記容器に収納された飲料水を加熱保温する加熱装置と、粉末飲料などを内部に密閉保存した飲料パックを収納固定するパック収納部と、回転自在に設けられ、外部操作で前記パック収納部の前面開放部を開閉するパックドアーと、前記飲料パックを開封すると共に熱湯を前記飲料パック内に吐出するインジェクタと、前記インジェクタを保持した状態で往復動作すると共に飲料パックより遠ざかる方向に付勢されたインジェクターユニットと、前記インジェクターユニットに接触し前記インジェクターユニットを往復動作させるカムと、前記パックドアーの閉操作に連動して前記カムを回動させて前記インジェクターユニットを、前記飲料パックを開封する方向に移動させる開封連動装置と、前記容器内の熱湯を前記インジェクタに送る抽出装置とを備え、前記飲料パックの開封動作時の前記インジェクタの動作量が、前記パックドアーの回転角度に比例した前記インジェクタの動作量より少なくなるように前記カムの形状を補正したもので、パックドアーの閉操作のみに連動した開封連動装置を介してインジェクタにより飲料パックを開封することができ、またカムの使用により操作レバー保持用のキャッチなどの構造部材が不要で、構造が簡素化でき、さらにカムの形状の補正により、パック開封時のパックドアーの閉操作力を低減することができる飲料抽出機を提供することができる。
【０００９】
第２の発明は、飲料水を収容する容器と、前記容器に収納された飲料水を加熱保温する加熱装置と、粉末飲料などを内部に密閉保存した飲料パックを収納固定するパック収納部と、回転自在に設けられ、外部操作で前記パック収納部の前面開放部を開閉するパックドアーと、前記飲料パックを開封すると共に熱湯を前記飲料パック内に吐出するインジェクタと、前記インジェクタを保持した状態で往復動作すると共に飲料パックより遠ざかる方向に付勢されたインジェクターユニットと、前記インジェクターユニットに接触し前記インジェクターユニットを往復動作させるカムと、前記パックドアーの閉操作に連動して前記カムを回動させて前記インジェクターユニットを、前記飲料パックを開封する方向に移動させる開封連動装置と、前記容器内の熱湯を前記インジェクタに送る抽出装置とを備え、前記パックドアーの閉動作範囲の略後半に、前記飲料パックの開封動作をさせるもので、パックドアーの閉操作のみに連動した開封連動装置を介してインジェクタにより飲料パックを開封することができ、またカムの使用により、操作レバー保持用のキャッチなどの構造部材が不要で、構造が簡素化でき、加えて、パックドアーの閉動作範囲の略後半で飲
料パックを開封する、飲料パックの開封時の抵抗力に打ち勝つドアー閉操作力を、力の加えにくいパックドアーの閉動作範囲の前半のパックドアーを持ち上げる操作時に加えるのではなく、パックドアーを後方に押す操作の時に力を素直に加えて開封ができるので、操作が自然で開封操作がしやすい飲料抽出機を提供することができる。
【００１０】
第３の発明は、特に、第２の発明の飲料抽出機において、少なくとも飲料パックの開封動作時に、インジェクタの動作量が、パックドアーの回転角度に比例した前記インジェクタの動作量より少なくなるようにカムの形状を補正したもので、第２の発明の効果に加え、飲料パックの開封時の抵抗によるパックドアーの閉時の操作力を低減でき、少ないパックドアーの閉操作力で、飲料パックが開封できる飲料抽出機を提供することができる。
【００１１】
第４の発明は、第２又は第３の発明のパックドアーの閉動作範囲の略前半におけるインジェクターの動作量が、前記パックドアーの回転角度に比例した前記インジェクターの動作量より多くなるようにカムの形状を補正したもので、第２又は第３の発明の効果に加え、飲料パック開封時の抵抗によるパックドアー閉時の操作力をさらに低減でき、より少ない操作力で飲料パックが開封できる飲料抽出機を提供するものである。
【００１２】
以下、本発明の実施の形態について、図面を参照しながら説明する。なお、この実施の形態によって本発明が限定されるものではない。
【００１３】
（実施の形態１）
図１は、本発明の実施の形態１における飲料抽出機の全体構成図、図２（ａ）は、同飲料抽出機のパックドアー開時の部分図でパックドアーとカム機構の関係を示したもの、図２（ｂ）は、同飲料抽出機のパックドアー開時の部分図でインジェクターユニットによる飲料パック開封状態を示す図、図３は、同パックドアーの開時から閉時の範囲でのパックドアーの回転角度とインジェクターの上下動作量の関係を示したグラフである。
【００１４】
図１、２において、本実施の形態における飲料抽出機は、本体１と、本体１内に収納された容器２と、容器２の底面に配され、容器２内の飲料水を加熱保温する加熱装置３と、容器２の上部開放部を液密に覆い蒸気通路４を有する蓋５と、固定用フランジ６を形成したノズル７を有する飲料パック８と、前面部を開放し飲料パック８の固定用フランジ６を固定する固定部９を有するパック収納部１０と、パック収納部１０の前面開放部１０ａを覆い下方の水平方向に回転軸１１を有し本体１に回転自在に軸支され外部操作で開閉されるパックドアー１２と、飲料パック８を開封すると共に容器２内の熱湯を飲料パック８内に吐出するインジェクタ１３を有する開封装置１４と、容器２の底面に設けた出湯口１５と開封装置１４のインジェクタ１３を連通する抽出経路１６と、抽出経路１６の途中に配され容器２内の熱湯をインジェクタ１３に送る抽出装置１７と、抽出装置１７とインジェクタ１３の間の抽出経路１６の途中から分岐した空気経路１８と、空気経路１８の一端に設けられた空気ポンプ１９と、パックドアー１２の開閉動作を、飲料パック８を開封する開封装置１４に連動する開封連動装置２０と、本体１の上部の前面に配された表示操作部２１と、容器２の底の加熱装置３の中央部に設けられた温度センサー２２と、飲料パック８の有無を検知する飲料パック有無検知装置（図示せず）と、パックドアー１２の閉成を検知するドアー閉検知装置（図示せず）と、表示操作部２１、飲料パック有無検知装置、ドアー閉検知装置、温度センサー２２等からの信号により加熱装置３、空気ポンプ１９、抽出装置１７の電気的制御を行う制御装置２３と、抽出飲料を受けるコップ２４を置くカップスタンド２５と、本体１に着脱自在でこぼれた飲料を受けるトレイ２６とを備えている。
【００１５】
パックドアー１２の下方の水平方向に設けられた回転軸１１の周辺には、第一のリンク腕２７を一体形成している。開封装置１４は、インジェクタ１３を一体成形したインジェ
クターユニット２８と、カム２９と第二のリンク腕３０を一体形成したカム機構３１が回動自在に本体１に軸支され、インジェクターユニット２８とカム３０との接触部のインジェクターユニット２８の上端にローラー３２を回動自在に装着し、インジェクターユニット２８は、ばね（図示せず）などで、飲料パック８より遠ざかる方向に付勢された状態で上下方向にスライドするように本体１に支持され、第一のリンク腕２７の先端の回転軸２７ａとカム機構３１の第二のリンク腕３０の先端の回転軸３０ａとを開封連動装置２０の第二のリンク３３で連結している。
【００１６】
図３のグラフは、縦軸がインジェクタ１３の上下動作量、横軸がパックドアー１２の回転角度で、パックドアー１２の開状態からパックドアー１２の閉状態までの関係を示したもので、線イは、パックドアー１２の回転角に対しインジェクター１２の上下動作量が比例した関係を示す直線である。
【００１７】
本実施の形態では、飲料パック８の開封範囲のカム２９の形状を補正し、線イの傾きより緩やかな傾きの線ロのように、つまりパックドアー１２の回転角度に対するインジェクター１３の下降量を少なくしている。
【００１８】
以上のように構成された本実施の形態における飲料抽出機について、以下にその動作、作用を説明する。
【００１９】
容器２内に飲料水をいれ、その飲料水を加熱装置３により湯沸しし、温度センサー２２により検知した温度に基づき、制御装置２３により所定の温度に保温する。パックドアー１２を、指など外部操作により開き、飲料パック８をパック収納部１０の所定位置にセット固定する。
【００２０】
パックドアー１２を閉じると、その動作が、パックドアー１２に形成された第一のリンク腕２７から開封連動装置２０の第二のリンク３３を介し、カム機構３１の第二のリンク腕３０からカム２９を介しインジェクターユニット２８のローラー３２からインジェクターユニット２８に伝導され、インジェクタ１３が下方に移動し、インジェクタ１３の先端部が飲料パック８のノズル７を突き刺し開封する。
【００２１】
このパックドアー１２を閉じるとき、片手のしかも指一本で操作できるくらい簡単に閉じることができる。
【００２２】
その後、抽出装置１７が駆動し、あらかじめ決められたプログラムにより熱湯を飲料パック８に送り飲料パック８の４辺の内、下方を熱湯で開封し、さらに内部のコーヒーや紅茶などの飲料を抽出し、次に空気ポンプ１９を駆動し、飲料パック８内の残り飲料を空気でコップ２４に排出することにより、飲料パック８を火傷の心配なく、取り出せる構成としている。
【００２３】
本実施の形態における飲料抽出装置は、以上のように構成されているため、パックドアー１２の閉操作のみに連動して飲料パック８を開封することができ、操作手順を簡素化し、またカム２９による開封操作のため操作レバー保持用のキャッチなどの構成部品が不要で、構成が簡素化でき、しかもカム２９の形状を補正することで、飲料パック８の開封時のパックドアー１２の閉操作力の低減ができるためパックドアー１２の操作性を向上させた使い易い飲料抽出機を提供することができるものである。
【００２４】
（実施の形態２）
図４は、本発明の第２の実施の形態における飲料抽出機のパックドアーの開時から閉時の範囲でのパックドアーの回転角度とインジェクターの上下動作量の関係を示したグラフ
、図５（ａ）は、同パックドアーの閉時の部分図でパックドアーとカム機構の関係を示したもの、図５（ｂ）は、同パックドアー閉時の部分図でカム機構とインジェクターユニットの関係を示したものである。尚、上記第１の実施の形態における飲料抽出機と同一部分については、同一符号を付してその説明を省略する。
【００２５】
本実施の形態は、図４及び５に示すように、インジェクタ１３による飲料パック８の開封範囲を、パックドアー１２の閉操作の後半に位置させたもので、他の構成は、上記第１の実施の形態と同一である。
【００２６】
本実施の形態における飲料抽出装置は、以上のように構成されているため、パックドアー１２の閉操作のみに連動して飲料パック８を開封することができ、操作手順を簡素化し、またカム２９による開封操作のため操作レバー保持用のキャッチなどの構成部品が不要で、構成が簡素化できることに加え、飲料パック８の開封時の抵抗力に打ち勝つパックドアー１２の閉操作力を、力の加えにくいパックドアー１２の閉動作範囲の前半のパックドアー１２を持ち上げる操作時に加えるのではなく、パックドアー１２を後方に押す操作の時に、力を素直に加えて、飲料パック８の開封ができるので、操作が自然でしかも開封操作がしやすい飲料抽出機を提供することができる。
【００２７】
（実施の形態３）
図６は、本発明の第３の実施の形態における飲料抽出機のパックドアーの開時から閉時の範囲でのパックドアーの回転角度とインジェクターの上下動作量の関係を示したグラフである。尚、上記実施の形態における飲料抽出機と同一部分については、同一符号を付してその説明を省略する。
【００２８】
上記第１の実施の形態と異なる点について以下に述べる。
【００２９】
本実施の形態における飲料抽出装置は、図６に示すように、インジェクタ１３による飲料パック８の開封範囲をパックドアー１２の閉動作時の後半に位置させると共に、少なくとも飲料パック８を開封する間に、線イの傾きより緩やかな傾きの線ニのように、つまりパックドアー１２の回転角度に対するインジェクタ１３の下降量が少なくなるように、カム２９の形状を補正したもので、他の構成は、上記第１の実施の形態における飲料抽出機と同一である。
【００３０】
本実施の形態における飲料抽出装置は、以上のように構成されているため、パックドアー１２の閉操作のみに連動して飲料パック８を開封することができ、操作手順を簡素化し、またカム２９による開封操作のため操作レバー保持用のキャッチなどの構成部品が不要で、構成が簡素化できることに加え、飲料パック開封時の抵抗力に打ち勝つドアー閉操作力を、力の加えにくいパックドアー１２の閉動作範囲の前半のパックドアー１２を持ち上げる操作時に加えるのではなく、パックドアー１２を後方に押す操作の時に力を素直に加えて開封ができるので操作が自然で開封操作がしやすく、さらに、パックドアー１２の回転角度に対するインジェクタ１３の下降量が少なくなるように、カム２９の形状を補正したことにより、飲料パック８の開封時のパックドアー１２の操作力をさらに低減することができる飲料抽出機を提供することができる。
【００３１】
（実施の形態４）
図７は、本発明の第４の実施の形態における飲料抽出機のパックドアーの開時から閉時の範囲でのパックドアーの回転角度とインジェクタの上下動作量の関係を示したグラフである。尚、上記実施の形態における飲料抽出機と同一部分については、同一符号を付してその説明を省略する。
【００３２】
本実施の形態における飲料抽出装置は、図７に示すように、パックドアー１２の閉動作範囲の略前半でのインジェクタ１３の直線動作量を、パックドアー１２の回転角度に比例したインジェクタ１３の直線動作量より多い動作量になる線ホのようにカム２９の形状を補正するもので、これにより、飲料パック１２の開封範囲でのパックドアー１２の回転角度を大きくとることができ、線へのように線イより傾きの少ないカム２９形状にすることができ、第２及び第３の実施の形態における効果に加え、飲料パック８の開封時の抵抗による、パックドアー１２閉時の操作力をさらに低減することができ、より少ない操作力で飲料パック８を開封することができる飲料抽出機を提供することができるものである。
【産業上の利用可能性】
【００３３】
以上のように、本発明に係る飲料抽出機は、パックドアーの閉操作のみで飲料パックを開封することができるので操作手順を簡素化し、またカムによる開封操作のため操作レバー保持用のキャッチなどの構成部品が不要で、簡単な構成で実現し、しかも付勢されたインジェクターユニットと、形状補正したカムにより飲料パック開封時のパックドアーの閉操作力の低減を図ることができるためパックドアーの操作性を向上させたもので、家庭用、業務用の各種飲料抽出機に適用できる。
【図面の簡単な説明】
【００３４】
【図１】本発明の実施の形態１における飲料抽出機の全体構成図
【図２】（ａ）同飲料抽出機のパックドアー開時の部分図（パックドアーとカム機構の関係を示したもの）（ｂ）同飲料抽出機のパックドアー開時の部分図でインジェクターユニットによる飲料パック開封状態を示す図
【図３】同パックドアーの開時から閉時の範囲でのパックドアーの回転角度とインジェクタの上下動作量の関係を示したグラフ
【図４】本発明の実施の形態２における飲料抽出機のパックドアーの開時から閉時の範囲でのパックドアーの回転角度とインジェクタの上下動作量の関係を示したグラフ
【図５】（ａ）同パックドアー閉時の部分図（パックドアーとカム機構の関係を示したもの）（ｂ）同パックドアー閉時の部分図（カム機構とインジェクターユニットの関係を示したもの）
【図６】本発明の実施の形態３における飲料抽出機のパックドアーの開時から閉時の範囲でのパックドアーの回転角度とインジェクタの上下動作量の関係を示したグラフ
【図７】本発明の実施の形態４における飲料抽出機のパックドアーの開時から閉時の範囲でのパックドアーの回転角度とインジェクタの上下動作量の関係を示したグラフ
【符号の説明】
【００３５】
２  容器
３  加熱装置
５  蓋
６  固定用フランジ
７  ノズル
８  飲料パック
１０  パック収納部
１２  パックドアー
１３  インジェクタ
１４  開封装置
１５  出湯口
１６  抽出経路
１７  抽出装置
２８  インジェクターユニット
２０  開封連動装置
２９  カム
３１  カム機構
【図１】
2009273683.tif 000003
【図２】
2009273683.tif 000004
【図３】
2009273683.tif 000005
【図４】
2009273683.tif 000006
【図５】
2009273683.tif 000007
【図６】
2009273683.tif 000008
【図７】
2009273683.tif 000009